(57)【要約】      （修正有）【課題】カメラ固定部の着脱時の作業性を向上させることが可能なカメラ固定装置を提供する。【解決手段】カメラ部１０８が固定されるカメラ固定部１０６を、カメラ固定部１０６に接続された複数のフック１０２、１０４により取付部１１０に固定するカメラ固定装置であって、少なくとも１つのフックは変形可能な可動フック１０２であり、可動フック１０２は、略Ｕ字型の形状を有するＵ字形状部と、Ｕ字形状部の一部に沿って延びる着脱補助部２２０と、を有し、着脱補助部２２０の移動に伴い、Ｕ字形状部の一部がＵ字形状の内側に向かって変形する。【選択図】図１
2010286601.tif 000002
【特許請求の範囲】
【請求項１】
カメラが固定されるカメラ固定部を、前記カメラ固定部に接続された複数のフックにより取付部に固定するカメラ固定装置であって、
少なくとも１つの前記フックは変形可能な可動フックであり、
前記可動フックは、略Ｕ字型の形状を有するＵ字形状部と、前記Ｕ字形状部の一部に沿って延びる着脱補助部と、を有し、
前記着脱補助部の移動に伴い、前記Ｕ字形状部の一部が前記Ｕ字形状の内側に向かって変形するカメラ固定装置。
【発明の詳細な説明】
【技術分野】
【０００１】
本発明は、カメラ固定装置に関し、特に、車載用カメラのカメラ固定装置に関するものである。
【背景技術】
【０００２】
従来、車載用のカメラ固定装置としては、例えば、図４のようなものがあった。図４では、カメラ部１０８は、カメラ固定板１０６に固定されている。また、このカメラ固定装置は、固定側フック１０４と、可動側フック１０２を備えている。取付面１１０にカメラ固定板１０６を固定する場合、可動側フック１０２を変形させることによって挿入して、かつ、固定側フック１０４も挿入する。その後、可動側フック１０２の材料の持つ反発力により、可動側フック１０２が変形の無い位置に戻り、カメラ固定板１０６が取付面１１０に固定されることが多い。
なお、取付ねじ等を用いてカメラを車体に装着するカメラの取付装置として、例えば特許文献１の取付装置が知られている。
【先行技術文献】
【特許文献】
【０００３】
【特許文献１】特開２００８−０５６０１２号公報
【発明の概要】
【発明が解決しようとする課題】
【０００４】
しかしながら、図４に示したカメラ固定装置では、一度固定すると取付面からカメラ固定板を外し難いことや、フック部の材質が硬い場合にはカメラ固定板を挿入し難いことがあり、作業性が悪いことがあった。
【０００５】
本発明は、上記事情を鑑みてなされたものであって、カメラ固定部の着脱時の作業性を向上させることが可能なカメラ固定装置を提供することを目的とする。
【課題を解決するための手段】
【０００６】
本発明のカメラ固定装置は、カメラが固定されるカメラ固定部を、前記カメラ固定部に接続された複数のフックにより取付部に固定するカメラ固定装置であって、少なくとも１つの前記フックは変形可能な可動フックであり、前記可動フックは、略Ｕ字型の形状を有するＵ字形状部と、前記Ｕ字形状部の一部に沿って延びる着脱補助部と、を有し、前記着脱補助部の移動に伴い、前記Ｕ字形状部の一部が前記Ｕ字形状の内側に向かって変形する。
【０００７】
この構成によれば、着脱補助部によって、可動側フックの荷重を抑制し、着脱時の人の手等に加わる荷重を低減することができる。これにより、カメラ固定部の着脱時の作業性を向上させることができる。
【発明の効果】
【０００８】
本発明は、可動側フックに着脱補助部を設けることにより、安定して確実なカメラ固定部を固定できる。また、カメラ固定部の固定時の装着力を補助し、作業性を向上できる。また、カメラ固定部の脱離力を補助し、作業性が向上できる。また、再装着が簡単にできる。さらに、カメラ固定部の着脱を容易にすることにより、昨今注目を浴びている、リサイクル等の分野でも、応用することが可能になる。
【図面の簡単な説明】
【０００９】
【図１】本発明の実施形態におけるカメラ固定装置をカメラ側面方向から見た断面・側面図（装着状態）
【図２】本発明の実施形態におけるカメラ固定装置をカメラ側面方向から見た断面・側面図（脱離状態）
【図３】本発明の実施形態におけるカメラ固定装置をカメラ側面方向から見た断面・側面図（可動フック変形状態）
【図４】従来のカメラ固定装置をカメラ側面方向から見た断面・側面図
【発明を実施するための形態】
【００１０】
以下、本発明の実施形態について図面を参照しながら説明する。
【００１１】
図１は、本発明の実施形態におけるカメラ固定装置の断面・側面図である。図１において、図４と同一の構成については、同一符号を用い、説明を省略する。図１に示すカメラ固定装置は、可動側フック１０２、固定側フック１０４、カメラ固定部１０６を備える。図１では、カメラ固定装置が取付面１１０に装着された状態の一例を示している。なお、本実施形態のカメラ固定装置は、例えば車載用のカメラ固定装置として使用される。
【００１２】
可動側フック１０２は、略Ｕ字型の形状を有するＵ字形状部２１０及びＵ字形状部２１０以外の略直線形状を有する着脱補助部２２０を有しており、カメラ固定装置が取付面１１０に装着又は脱離されるときに形状が変形するフックで構成される。固定側フック１０４は、カメラ固定装置が取付面１１０に装着又は脱離されるときに形状が変形しないフックで構成される。カメラ固定部１０６は例えばカメラ固定板であり、カメラ固定部１０６には可動側フック１０２及び固定側フック１０４が接続される側とは反対側に、カメラを含むカメラ部１０８が固定されている。なお、カメラ固定部１０６とカメラ部１０８は一体に形成されていてもよい。
【００１３】
可動側フック１０２の着脱補助部２２０は、図１に示すように、カメラ固定装置が取付面１１０に固定されるときに取付面１１０が接する接点２２０ｐから直線状に延びている。また、可動側フック１０２は、接点２２０ｐから、Ｕ字形状部２１０のＵ字形状に沿う途中の箇所１０２ｍまでは、可動側フック１０２に沿って延びている。可動側フック１０２は、取付面１１０に掛かるときに着脱補助部２２０の移動に伴って、可動側フック１０２の取付面１１０との接点（つまり接点２２０ｐ）を支点として、てこの原理により変形する。
【００１４】
Ｕ字形状部２１０及び着脱補助部２２０は、樹脂で一体成型されており、例えば、ポリカーボネート樹脂で成型した場合、Ｕ字形状部２１０と着脱補助部２２０が一体化している部分（接点２２０ｐ付近）の太さは２〜３ｍｍ程度、着脱補助部２２０の可動側フックと一体化している根元（接点２２０ｐ）から着脱補助部２２０の先端部２２０ｑまでの長さは１０〜２０ｍｍ程度を想定している。また、可動側フック１０２におけるＵ字形状部２１０及び着脱補助部２２０の曲げ強さとしては、指で押すことができるが容易に取付面１１０からカメラ固定装置を外すことができない強さである５〜１５ｋｇ程度を強さを想定している。
【００１５】
次に、取付面１１０へのカメラ固定装置の装着、取付面１１０からカメラ固定装置の脱離の様子について説明する。図２は、カメラ固定装置が取付面１１０から脱離された状態の一例を示す図である。また、図３は、可動側フック１０２を変形させた状態の一例を示す図である。取付面１１０は、装着時及び脱離時にカメラ固定装置の可動側フック１０２及び固定側フック１０４が通過する開口部１１０ａを有している。
【００１６】
カメラ固定装置を取付面１１０に装着する場合、図２に示すように、取付面１１０からカメラ固定装置が脱離されている状態で、着脱補助部２２０の先端部２２０ｑの押下などにより、着脱補助部２２０の先端部２２０ｑがＵ字形状の外側方向（つまり図３の矢印方向（紙面左側方向））に移動することで、てこの原理により可動側フック１０２が変形する。このとき、着脱補助部２２０の接点２２０ｐはＵ字形状の内側方向に移動し、これに伴ってＵ字形状部２１０が変形する。この状態でカメラ固定装置を取付面１１０へ装着すると、図３に示すように可動側フック１０２が取付面１１０と接触することなく、スムーズに取付面１１０を通過させることができる。取付面１１０を通過させた後には、例えば上記押下の終了などにより着脱補助部２２０の先端部２２０ｑの移動が終了することで、可動側フック１０２の材料の持つ反発力により可動側フック１０２が無変形状態に戻る。そして、可動側フック１０２及び固定側フック１０４が取付面１１０に係合されることでカメラ固定装置が取付面１１０に固定され、装着が完了する。カメラ固定装置が取付面１１０に装着された状態は、図１に示されている。
【００１７】
一方、カメラ固定装置を取付面１１０から脱離する場合、図３に示すように、取付面１１０にカメラ固定装置が装着されている状態で、着脱補助部２２０の先端部２２０ｑの押下などにより、着脱補助部２２０の先端部２２０ｑがＵ字形状の外側方向に移動することで、てこの原理により可動側フック１０２が変形させる。このとき、着脱補助部２２０の接点２２０ｐはＵ字形状の内側方向に移動し、これに伴ってＵ字形状部２１０が変形する（図３参照）。この状態でカメラ固定装置を取付面１１０から脱離すると、可動側フック１０２が取付面１１０と接触することなく、スムーズに取付面１１０を通過させることができる。取付面１１０を通過させた後には、例えば押下の終了により着脱補助部２２０の先端部２２０ｑの移動が終了することで、可動側フック１０２の材料の持つ反発力により可動側フック１０２が無変形状態に戻り、脱離が完了する。カメラ固定装置が取付面１１０から脱離された状態は、図２に示されている。
【００１８】
このようなカメラ固定装置によれば、カメラ固定板１０６を取付面１１０に取り付ける際には、着脱補助部２２０を移動することにより可動側フック１０２を変形させた状態で、カメラ固定板１０６全体をカメラ部１０８側から押して可動側フック１０２と固定側フック１０４を取付面１１０に挿入して装着することができ、作業性を向上させることができる。また、取付面１１０からカメラ固定板１０６を脱離する際には、着脱補助部２２０を移動し、可動側フック１０２を変形させた状態で脱離することができ、作業性を向上させることができる。
【産業上の利用可能性】
【００１９】
本発明は、カメラ固定部の着脱時の作業性を向上させることが可能なカメラ固定装置等に有用であり、さらに、リサイクル分野などの応用が可能である。
【符号の説明】
【００２０】
１０２  可動側フック部
１０４  固定側フック部
１０６  カメラ固定板
１０８  カメラ部
１１０  取付面
２１０  Ｕ字形状部
２２０  着脱補助部
【図１】
2010286601.tif 000003
【図２】
2010286601.tif 000004
【図３】
2010286601.tif 000005
【図４】
2010286601.tif 000006